(57)【要約】【課題】真贋証明用ラベルの模倣及び流用を防ぐことができる真贋証明用ラベルの流用防止方法を提供する。【解決手段】接着層２と、接着層２上に形成されたホログラム層３と、ホログラム層３上に形成された保護層４とから構成される真贋証明用ラベル１を準備する工程、真贋証明用ラベル１を所望の基材６上に貼付する工程、貼付した真贋証明用ラベル１の、保護層４表面の領域を、２つ以上の部位に分割するように、保護層４側から所定の深さまで切り込みを入れる工程とにより、基材６上に真贋証明用ラベル１を貼付する。【選択図】図１
2010160519.tif 000002
【特許請求の範囲】
【請求項１】
接着層と、前記接着層上に形成されたホログラム層と、前記ホログラム層上に形成された保護層とから構成される真贋証明用ラベルを準備する工程、
前記真贋証明用ラベルを所望の基材上に貼付する工程、
前記貼付した前記真贋証明用ラベルの、前記保護層表面の領域を、２つ以上の部位に分割するように、前記保護層側から所定の深さまで切り込みを入れる工程とを含む
真贋証明用ラベルの流用防止方法。
【請求項２】
前記ホログラム層は、体積型ホログラム層である
請求項１記載の真贋証明用ラベルの流用防止方法。
【請求項３】
前記切り込みを入れる工程の前に、前記ホログラム層又は前記保護層に形成された位置だし用マークにより、前記切り込みを入れる位置を決定する工程を含む
請求項１又は２に記載の真贋証明用ラベルの流用防止方法。
【請求項４】
前記切り込みは、前記分割された２以上の各部位の一部が連結されるように為される
請求項１〜３のいずれか一項に記載の真贋証明用ラベルの流用防止方法。
【請求項５】
前記切り込みを、前記基材に達する深さまで入れる
請求項１〜４のいずれか一項に記載の真贋証明用ラベルの流用防止方法。
【発明の詳細な説明】
【技術分野】
【０００１】
本発明は、真贋証明用ラベルの模倣及び流用を防止するための真贋証明用ラベルの流用防止方法に関する。
【背景技術】
【０００２】
近年、模倣品や海賊品と呼ばれる偽物が多数販売され、大きな問題となっている。このため、本物であることを証明するための真贋証明用ラベルを実装する商品が増えている。真贋証明用ラベルの仕様としては、例えば、エンボス型を用いたホログラムなどが一般的に知られている。エンボス型のホログラムでは、表面に微細な凹凸パターンが形成されており、この凹凸パターンで反射された反射光が干渉することで、立体画像が構成される。
【０００３】
特許文献１には、エンボス型のホログラムを用いたホログラムカードについて記載がある。特許文献１では、クレジットカードやＩＤカード上に構成されるエンボス型のホログラムを、カード成形における射出工程において同時に形成する工程が記載されている。これによれば、従来、カード表面にホログラムを貼付することで起こっていたホログラム部分の出っ張りや窪みを防ぐことができ、外観的な見栄えを向上させることができる。さらに、ホログラムがカード表面にカードと一体に構成されるので、ホログラムへの改変等の不正行為を防止することができる。
【０００４】
しかしながら、このように、エンボス型のホログラムから構成される真贋証明用ラベルでは、表面の凹凸パターンを転写することにより、容易に偽物を作ることができるという問題があった。そのため、偽造防止用にカード等に貼付される真贋証明用ラベル自体の複製や模倣品を商品に貼付するということが行われるようになった。
【０００５】
そこで、複製がより困難である体積型ホログラム（以下ボリュームホログラム）を真贋証明用ラベルとして用いる提案がなされている。ボリュームホログラムでは、表面の凹凸パターンではなく、ラベル内の屈折率変化を利用して画像を多重することができる。このため、ボリュームホログラムを用いた真贋証明用ラベルの模倣は非常に困難であり、偽造を防止することができる。
【０００６】
しかしながら、上述したような模倣が困難なボリュームホログラムを用いた真贋証明用ラベルでは、模倣が困難であるものの、商品に貼付されている真贋証明用ラベルを剥がして、偽物に貼付するという流用のおそれがある。このように、商品に１度貼付された真贋証明用ラベルが剥がされて流用されることを防ぐ為に、現在では、例えば、真贋証明用ラベルの四隅に切り込みを入れて剥がす時に破れ安くする対策がとられている。
【先行技術文献】
【特許文献】
【０００７】
【特許文献１】特開平１０−８６１７６号公報
【発明の概要】
【発明が解決しようとする課題】
【０００８】
このように、真贋証明用ラベルに切り込みを入れることによって、ラベルを剥がすためのノウハウが必要となり、偽造行為に対してある程度の抑止力はあるものの、真贋証明用ラベルの流用を完全に防止することは難しかった。すなわち、ボリュームホログラムを用いた真贋証明用ラベルでは、真贋証明用ラベル自体の模倣は防ぐことができるものの、真贋証明用ラベル自体を剥がして流用するという偽造行為は完全に防ぐことができない。
【０００９】
上述の点に鑑み、本発明は、真贋証明用ラベルの模倣及び流用を防ぐことができる真贋証明用ラベルの流用防止方法を提供するものである。
【課題を解決するための手段】
【００１０】
また、本発明の真贋証明用ラベルの流用防止方法は、接着層と、接着層上に形成されたホログラム層と、ホログラム層に形成された保護層とから構成される真贋証明用ラベルを準備する工程、真贋証明用ラベルを所望の基材上に貼付する工程、貼付した真贋証明用ラベルの、保護層表面の領域を２つ以上の部位に分割するように、保護層側から所定の深さまで切り込みを入れる工程とを含むことを特徴とする。
【００１１】
本発明の真贋証明用ラベルの流用防止方法では、基材上に真贋証明用ラベルが貼付された後に、真贋証明用ラベルに切り込みが入れられる。このため、基材上に真贋証明用ラベルが貼付されるときには、真贋証明用ラベルは脆弱性を有さない。しかし、切り込みを入れられることにより脆弱性が付与されるので、基材から剥がすときに破損しやすい。
また、切り込みの深さは、ホログラム層に達する深さであればよく、また、基材上に達する深さであっても良い。
また、本発明の真贋証明用ラベルの流用防止方法では、分割される部位が一部連結されるように、切り込みをいれる構成であってもよい。この場合の「一部」とは、前述した真贋証明用ラベルに付与される脆弱性を保持できる程度の範囲である。
【発明の効果】
【００１２】
本発明の真贋証明用ラベルの流用防止方法によれば、真贋証明用ラベルを基材上に貼付した後に、切り込みが入れられるため、基材上の真贋証明用ラベルには、脆弱性が付与される。このため、真贋証明用ラベルを基材上から剥がす際に破損しやすくなるので、真贋証明用ラベル自体の流用を防止することができる。
【図面の簡単な説明】
【００１３】
【図１】Ａ，Ｂ 本発明の第１の実施形態に用いられる真贋証明用ラベルの概略構成図及びその断面構成図である。
【図２】Ａ，Ｂ，Ｃ 本発明の第１の実施形態における真贋証明用ラベルの流用防止方法を示す工程図である。
【図３】切り込み部が形成された真贋証明用ラベルの概略構成図である。
【図４】Ａ，Ｂ，Ｃ 真贋証明用ラベルに形成する切り込み部の他の例を示す図である。
【図５】Ａ，Ｂ 本発明の第２の実施形態における真贋証明用ラベルを示す概略構成図及びその断面構成図である。
【図６】Ａ，Ｂ，Ｃ 真贋証明用ラベルに形成する切り込み部の他の例を示す図である。
【発明を実施するための形態】
【００１４】
以下、図面を参照して本発明の実施の形態を説明する。
【００１５】
図１〜図４を用いて、本発明の第１の実施形態を説明する。まず、図１を用いて、本実施形態例に用いられる真贋証明用ラベルの概略構成について説明する。図１Ａは、本実施形態例に用いられる真贋証明用ラベル１の概略平面構成であり、図１Ｂは、概略断面構成である。
【００１６】
本実施形態例に用いられる真贋証明用ラベル１は、アクリル系粘着剤等よりなる接着層２と、接着層２上に、ホログラフィック材料より形成されたホログラム層３と、前記ホログラム層３上に、透明の樹脂フィルム等より形成された保護層４とから構成される。本実施形態例の真贋証明用ラベル１はボリュームホログラムを構成するものであり、ホログラム層３には、物体ａが３次元記録されており、図１Ａに示すように物体ａの画像表示がなされる。
【００１７】
このホログラム層３の３次元記録は、ホログラム層３に対して、所望の物体の情報を持った物体光と、物体光と同一波長からなる参照光とを入射させ、物体光と参照光が干渉してできる干渉縞をホログラム層３の屈折率の変化として記録することによりなされる。
例えば、本実施形態例では、物体ａの情報を持った物体光と、その物体光と同一波長を有する参照光をホログラム層３に入射させることにより、その物体光と参照光が干渉してできる干渉縞がホログラム層３に記録され、ホログラム層３に、物体ａの情報が記録される。このように、物体ａの情報が記録されたホログラム層３からは、物体ａの画像表示が再生される。
【００１８】
ボリュームホログラムを形成する場合、接着層２及び保護層４の材料には、例えば、光散乱が少ないこと、複屈折が少ないこと、光透過率が高いこと等の光学特性が要求される。また、ホログラム層３を構成するホログラフィック材料には、解像度の高い材料が用いられ、例えば、デュポン社製の商品名「ＯＭＮＩ−ＤＥＸ」を用いることができる。このホログラフィック材料は、光重合型フォトポリマからなり、初期状態では、モノマがマトリクスポリマに均一に分散している。この状態の重合型フォトポリマに１０〜４００ｍＪ／ｃｍ２程度のパワーの光を照射すると、照射された光のパワーに応じて、露光された部分のモノマが重合し、その結果、モノマの濃度が場所によって変化し、屈折率の変調が生じる。この後、例えば１０００ｍＪ／ｃｍ２程度のパワーの紫外線を全面に照射することにより、モノマの重合が完了し、屈折率変調度が増強されるとともに、この屈折率が定着する。
【００１９】
ボリュームホログラムを用いた真贋証明用ラベル１は意匠性に優れ、また、ホログラム層３の屈折率の変化を利用して３次元記録を行っているため、保護層表面は平坦であり、エンボス型のホログラムに比べて、模倣や偽造が困難であるという特徴を有する。
【００２０】
また、本実施形態例で用いられる真贋証明用ラベル１においては、ホログラム層３の一部、例えば、対角線上に位置する２カ所の角部に、後の工程で用いられる位置だし用マーク５が付されている。この位置だし用マーク５は、本実施形態例ではホログラム層３に入れる構成としたが、例えば、保護層４の一部に付す構成としてもよい。ホログラム層３に位置だし用マーク５を入れる場合には、ホログラム層３に画像情報を記録する工程で同時に位置だし用マーク５を入れることができるので、工程数を増やすことがない。
【００２１】
次に、図２を用いて、本実施形態例の真贋証明用ラベル及び真贋証明用ラベルの流用防止方法について説明する。
【００２２】
まず、図１に示した真贋証明用ラベル１を、図２Ａに示すように、所望の基材６上に貼付する。基材６の代表例としては、プラスチック素材やビニル素材等が挙げられる。基材６上に真贋証明用ラベル１を貼付する方法としては、機械によって基材６の所定の位置に貼付してもよいし、手作業で行っても良い。
【００２３】
次に、図２Ｂに示すように、真贋証明用ラベル１に切り込み部を設けて、真贋証明用ラベルの保護層４表面の領域を分割するために、図示しない分割装置に内蔵された切り込み用のカッター７と、真贋証明用ラベル１の相対位置の位置だしを行う。位置だしは、ホログラム層３に設けられた位置出しマーク５を用いてなされ、この位置出し用マーク５によって、分割装置のカッター７の位置が決定される。
本実施形態例においては、保護層４表面の領域を２つの部位に分割するように切り込み部を形成する例とし、また、２つの部位の境界となる切り込み部は、波目状を為す例とする。
【００２４】
そして、図２Ｃに示すように、カッター７の位置だし後、位置出しされたカッター７を真贋証明用ラベル１の保護層４側から真贋証明用ラベル１の所定の深さまで押下し、保護層４表面の領域を２つの部位に分割する。本実施形態例では、カッターを、真贋証明用ラベルのホログラム層３の深さまで、切り込み部８を設ける例とした。
【００２５】
図３は、本実施形態例において、保護層４表面の領域が２つの部位９，１０に分割されるように切り込み部８が設けられた真贋証明用ラベル１を上面から見たときの概略構成である。本実施形態例では、ホログラム層３に記録された物体ａの像が、２つに分割されるような位置に切り込み部８が形成されている。すなわち、切り込み部８からなる分割ラインによって、真贋証明用ラベル１の表示情報（物体ａ）が分割される。また、前述したように、切り込み部８は波目状とされている。
【００２６】
そして、本実施形態例では、分割された物体ａの画像表示が、分割される前と同様に、意匠性を有したままの状態であるために、真贋証明用ラベル１は、分割されることが予め想定された真贋証明用ラベルであり、分割される前と分割された後で真贋証明用ラベル１の画像表示が適切になされるものであることが必要である。
すなわち、本願実施形態例で用いられる真贋証明用ラベルには、分割が容易であり、分割による破損が生じない材料、層厚であることが求められ、また、分割面の耐久性が確保できる材料構成であることが求められる。
【００２７】
そして、本実施形態例では、真贋証明用ラベル１が基材６上に貼付された後に切り込み部８が入れられることにより、その時点で、真贋証明用ラベル１に脆弱性が付与される。
【００２８】
このように、基材６上に貼付され、保護層４表面の領域が分割されるように、ホログラム層３まで切り込み部８が設けられた状態の真贋証明用ラベル１を、基材６から剥がそうとする場合、分割された２つの部位９，１０の相対位置がずれたり、変形したりしてしまう。すなわち、この切り込み部８により、真贋証明用ラベル１に脆弱性が付与されたため、真贋証明用ラベル１を基材６上から剥がそうとした場合には破損しやすくなっている。
【００２９】
また、保護層４表面の領域に対して、切り込み部８の範囲が小さい場合には、真贋証明用ラベ１ルを剥がす段階で、それほどの脆弱性を付与できないが、本実施形態例では、切り込み部８により、保護層４表面の領域が完全に２つの部位９，１０に分割されているので、２つの部位９，１０の相対位置をずらさないように剥がすのは困難である。そして、このように本実施形態例の真贋証明用ラベル１を剥がして、別の偽造された基材上に貼る作業をする場合、さらに２つの部位９，１０の相対位置がずれる。２つの部位９，１０の相対位置がずれた場合、ホログラム層３に記録された画像表示が適切に再生されないため、画像表示が適切でない場合は偽造であることが視覚的にわかる。
【００３０】
本実施形態例では、切り込み部８がホログラム層３を分割する深さまで設けられる例としたが、真贋証明用ラベル１を基材６上から剥がそうとするときに、ホログラム層３が破断されるような脆弱性を付与できる深さであればよい。すなわち、図４Ａに示すように、切り込み部８をホログラム層３に達する深さまで設ける例としてもよく、また、図４Ｂに示すように、接着層２まで切り込み部８を設ける例としてもよい。さらに、図４Ｃに示すように、基材６上に達するように切り込み部８を設けるようにしてもよい。このように、切り込み部８の深さは、分割装置において設定することができ、その設定値により、切り込み用カッター７の切り込み深さが決まる。
【００３１】
例えば、切り込み部８を基材６に達するまで形成した真贋証明用ラベル１を剥がして再度貼る場合には、基材６の切り込み位置と真贋証明用ラベル１の分割位置を合わせる必要があり、偽造はさらに困難となる。
【００３２】
また、基材６が、プラスチック材料からなる筐体ではなく、例えばフィルム状の柔軟な脆弱性を有する素材であった場合は、基材６自体の破損も加味される。このため、このような脆弱性を有する基材６上から本実施形態例の真贋証明用ラベル１を剥がす場合には、分割された部位９，１０の相対位置が、よりずれやすくなる。
【００３３】
ところで、真贋証明用ラベルを真性の商品となる基材上に貼付する前に、真贋証明用ラベルに、真贋証明用ラベルが２つの部位に分割されるような切り込み部を入れた場合には、真贋証明用ラベルが基材に貼付される前に脆弱性を有することになる。そうすると、真性の商品である基材上に、真贋証明用ラベルを貼付する段階で、分割された部位の相対位置にずれが生じることとなる。すなわち、真贋証明用ラベルを基材に貼付する前に切り込み部を入れてしまうと、真性の商品である基材上に貼付した場合であっても、真贋証明用ラベルが適正に貼付されなくなってしまう。このような予め切り込み部が入れられた真贋証明用ラベルを、基材上に適正に貼付するためには、専用の貼り付け機器等にかかるコストや、ノウハウが必要となり、実用的ではない。
【００３４】
それに対し、本実施形態例の真贋証明用ラベルの流用防止方法では、真贋証明用ラベル１を基材６上に貼付した後に、切り込み部８を設ける構成とした。これにより、真贋証明用ラベル１を真性の商品である基材６上に貼付された段階では、分割された部位９，１０の相対位置にずれが生じない。すなわち、従来のラベル貼付と何ら変わることなく、容易に貼り付けることができる。そして、貼付した後に切り込み部８を設けることにより、その真性の商品である基材６上から、真贋証明用ラベル１を剥がす段階において、ずれが生じるように構成されている。このため、本実施形態例の真贋証明用ラベル１は、真性の商品である基材６上には、精度良く貼付することができ、１度用いられた真贋証明用ラベル１の流用は防止されるという効果を有する。
【００３５】
本実施形態例の真贋証明用ラベルの流用防止方法によれば、基材６上に貼付された真贋証明用ラベル１に、基材６上に貼付されてから脆弱性が付与されるので、真贋証明用ラベル１を剥がして流用し、貼り付ける場合、分割された２つの部位９，１０の相対位置にずれが生じる。これにより、真贋証明用ラベル１の流用、すなわち２次使用を防ぐことができる。
【００３６】
さらに、本実施形態例では、切り込み部８を波目状としたが、これに限定されるものではなく、種々の形状が可能である。本実施形態例では切り込み部８を波目状にすることにより、真贋証明用ラベルが基材からより剥がしにくくなり、流用防止効果を高めることができる。また、本実施形態例では、２つの部位９，１０に分割する例としたが、これに限られるものではなく、２以上の複数の部位に分割するような構成も可能である。分割数が多くなればそれだけ流用が困難となる。
【００３７】
次に、図５及び図６を用いて、本発明の第２の実施形態を説明する。本実施形態例は、第１の実施形態とは、切り込み部の構成が一部、異なるものである。
図５及び図６において、図１〜図４に対応する部分には同一符号を付し重複説明を省略する。
【００３８】
図５に、本実施形態例の真贋証明用ラベルの概略構成とその断面構成を示す。本実施形態例の真贋証明用ラベル１は、図２で示した工程と同一の工程により切り込み部１１が設けられた例であるが、本実施形態例で形成された切り込み部１１は、保護層４表面の領域が、部位９，１０に完全に分割される構成ではない。すなわち、図５Ａに示すように、分割された部位９，１０の一部が連結される連結部１２が設けられている。
【００３９】
また、本実施形態例においても、切り込み部１１は、図５Ｂに示すように、ホログラム層３の深さまで形成されている。
【００４０】
本実施形態例の真贋証明用ラベル１に設けられる切り込み部１１は、保護層４表面の領域を完全に分割するものではないが、基材６上から真贋証明用ラベルを剥がそうとする場合には、真贋証明用ラベルの分割された部位９，１０の相対位置にずれが生じるような脆弱性を十分に与えることができるものである。また、本実施形態例においても、切り込み部１１の深さは、図６Ａに示すように、ホログラム層３に達する深さであってもよいし、図６Ｂに示すように、接着層２までの深さであってもよいし、図６Ｃに示すように、基材６上に達する深さであってもよい。
【００４１】
このように、真贋証明用ラベル１に切り込み部１１が与える脆弱性を保持できる範囲であれば、分割される部位９，１０が一部連結されているような連結部１２が構成されてあってもよい。すなわち、基材６上から真贋証明用ラベル１を剥がすときの外力や、流用時に貼付するときの外力で破損するか、または、破損はしないまでも、分割された部位の相対位置が保持できず変形される目的を維持できるだけの切り込みが入っていればよい。連結部には、その連結方向と直交する幅が、切り込み部１１の切り込み長さより十分に小さくすることができる。
【００４２】
以上のように、本発明では、真性の商品からなる基材上に真贋証明用ラベルを貼付する際には、真贋証明用ラベルは脆弱性が付与されていないため、基材上に適正に貼付される。そして、その後、所定の切り込み部を形成されることにより、基材上から剥がすときに真贋証明用ラベルは破損、変形等の脆弱性が付与される。これにより、真贋証明用ラベルの２次使用の防止が為される。
【符号の説明】
【００４３】
１・・真贋証明用ラベル、２・・接着層、３・・ホログラム層、４・・保護層、５・・位置だし用マーク、６・・基材、７・・カッター、８，１１・・切り込み部、９，１０・・部位、１２・・連結部
【図１】
2010160519.tif 000003
【図２】
2010160519.tif 000004
【図３】
2010160519.tif 000005
【図４】
2010160519.tif 000006
【図５】
2010160519.tif 000007
【図６】
2010160519.tif 000008